(57)【要約】  ユーザ端末（ＵＥ）から基地局（ＢＳ）への上りリンク（ＵＬ）送信方法は、前記ＵＥにおいて、前記ＵＥにおける選択情報または決定に基づいて、前記ＵＥの複数の送信リソースから前記上りリンク送信に使用される送信リソースを選択するステップと、前記ＵＥから前記ＢＳに、前記選択された送信リソースを使用して、上りリンク信号または上りチャネルを送信するステップと、を含む。前記選択情報は、前記ＢＳによって指定された送信リソースを示している。前記選択するステップは、前記上りリンク送信用の複数の送信リソースを選択することである。前記送信するステップは、前記複数の送信リソースを使用して複数のＵＬ信号または複数のＵＬチャネルを送信するステップである。
2019531634.tif 000002
【特許請求の範囲】
【請求項１】
ユーザ端末（ＵＥ）から基地局（ＢＳ）への上りリンク（ＵＬ）の送信方法であって、
前記ＵＥにおいて、前記ＵＥにおける選択情報または決定に基づいて、前記ＵＥの複数の送信リソースから前記上りリンク送信用の送信リソースを選択する選択ステップと、
前記ＵＥから前記ＢＳに対して、前記選択された送信リソースを使用し、上りリンク信号または上りリンクチャネルを送信する送信ステップと、を含み、
前記選択情報は、前記ＢＳによって指定された送信リソースを示すことを特徴とする方法。
【請求項２】
前記選択ステップは、前記上りリンク送信用の複数の送信リソースを選択し、
前記送信ステップは、前記複数の送信リソースを使用して複数の上りリンク信号または複数の上りリンクチャネルを送信することを特徴とする請求項１に記載の方法。
【請求項３】
前記ＵＥにおいて、前記ＢＳに、前記ＵＥにおいて利用可能な送信リソースの数を通知するステップをさらに含み、
前記選択情報は、前記ＢＳによって指定された１つまたは複数の送信リソースを示し、
前記ＢＳによって指定された前記送信リソースの数は、前記ＵＥにおいて利用可能な前記送信リソースの数以下であることを特徴とする請求項２に記載の方法。
【請求項４】
前記ＵＥにおいて、前記ＢＳの前記複数の送信リソースのそれぞれの構成を通知するステップをさらに含み、
前記構成は、前記ＵＥの送信アンテナおよび送受信部（ＴＸＲＵ）のうちの少なくとも１つを含むことを特徴とする請求項２に記載の方法。
【請求項５】
前記ＢＳから前記ＵＥへサウンディング参照信号（ＳＲＳ）リソースインジケータ（ＳＲＩ）または送信プリコーディング行列インジケータ（ＴＰＭＩ）を送信する送信ステップをさらに含み、
前記ＳＲＩまたは前記ＴＰＭＩは前記選択情報を含むことを特徴とする請求項１に記載の方法。
【請求項６】
前記送信リソースは、前記ＵＥの送信アンテナ、前記ＵＥの送信アンテナのグループ、ビーム、または前記送信アンテナ、前記グループ、およびビームの組み合わせであることを特徴とする請求項１に記載の方法。
【請求項７】
前記ＵＥにおいて、前記ＢＳから所定の参照信号を受信する受信ステップと、
前記ＵＥにおいて、前記所定の参照信号の受信品質に基づいて、送信リソースを決定するステップと、をさらに含み、
前記選択ステップは、前記決定された送信リソースを前記上りリンク送信用の前記送信リソースとして選択することを特徴とする請求項１に記載の方法。
【請求項８】
前記ＵＥにおいて、前記ＢＳに前記選択された送信リソースを通知するステップをさらに含むことを特徴とする請求項１に記載の方法。
【請求項９】
前記ＵＥにおいて、前記ＢＳから、前記選択情報または前記ＵＥにおける前記決定に基づいて、前記上りリンク送信用の前記送信リソースが選択されるべきかどうかを指定する指示情報を受信する受信ステップをさらに含み、
前記選択ステップは前記指示情報に基づいて、前記上りリンク送信用の前記送信リソースを選択することを特徴とする請求項１に記載の方法。
【請求項１０】
前記選択情報は、異なる種類の上りリンク信号および上りリンクチャネルの送信用に前記送信リソースを選択するために使用されることを特徴とする請求項１に記載の方法。
【請求項１１】
ユーザ端末（ＵＥ）からの上りリンクの送信方法であって、
前記ＵＥにおいて、基地局（ＢＳ）から、複数のＳＲＳリソースを含むサウンディング参照信号（ＳＲＳ）リソース構成情報を受信する受信ステップと、
前記ＵＥから前記ＢＳへ、前記ＳＲＳリソース構成情報に応じて、少なくとも１つのＳＲＳを送信する送信ステップと、を含むことを特徴とする方法。
【請求項１２】
前記ＵＥにおいて、前記複数のＳＲＳリソースから前記ＳＲＳ送信用の少なくとも１つの送信リソースを選択する選択ステップをさらに含み、
前記送信ステップは、前記選択された送信リソースを使用して前記少なくとも１つのＳＲＳを送信することを特徴とする請求項１１に記載の方法。
【請求項１３】
前記ＳＲＳリソース構成情報は、サイクリックシフト、前記ＳＲＳ送信用の前記ＵＥのアンテナポート数、時間領域、前記ＳＲＳ送信の周期性、前記ＳＲＳ送信の帯域幅、周波数およびリソースブロックにおける時間領域多重化情報を示す情報を含むことを特徴とする請求項１１に記載の方法。
【請求項１４】
前記受信ステップは、前記ＢＳによって指定された少なくとも１つの送信リソースを示す送信リソース情報を受信し、
前記送信ステップは、前記ＢＳによって指定された、前記少なくとも１つの送信リソースを使用して前記少なくとも１つのＳＲＳを送信することを特徴とする請求項１１に記載の方法。
【請求項１５】
送信電力制御（ＴＰＣ）方法であって、ユーザ端末（ＵＥ）において、前記ＵＥの各送信リソースに対して異なるＴＰＣを実行するステップを含むことを特徴とする方法。
【請求項１６】
前記ＴＰＣは開ループＴＰＣまたは閉ループＴＰＣであることを特徴とする請求項１５に記載の方法。
【請求項１７】
異なるパラメータが前記異なるＴＰＣに適用されることを特徴とする請求項１５に記載の方法。
【請求項１８】
前記実行するステップは、前記ＵＥの前記送信リソースの一部に対して前記ＴＰＣを実行することを特徴とする請求項１５に記載の方法。
【請求項１９】
前記ＵＥにおいて、前記ＵＥの各送信リソースに対して異なるタイミングアドバンス制御を実行するステップをさらに含むことを特徴とする請求項１５に記載の方法。
【請求項２０】
前記複数の送信リソースの一部がグループ化されていることを特徴とする請求項１に記載の方法。
【発明の詳細な説明】
【技術分野】
【０００１】
本発明は、一般的に無線通信方法に関し、より詳細には、無線通信システムにおける複数の送信リソースを含むユーザ端末からの上りリンク送信方法に関する。
【背景技術】
【０００２】
より高い周波数帯（例えば、ミリ波（ｍｍＷａｖｅ））で動作するＮｅｗ  Ｒａｄｉｏ（ＮＲ；第５世代（５Ｇ）無線アクセス技術）システムが、第３世代パートナーシッププロジェクト（３ＧＰＰ）において研究されている。ミリ波のような、より高い周波数帯域で動作するユーザ端末（ＵＥ）はそれぞれが互いに異なる指向性を有することがある２つ、またはそれ以上のアンテナパネルを備え得る。例えば、２つ、またはそれ以上のアンテナパネルはＵＥの前面および後面などの２つの面に配置されてもよい。ＵＥの各面は少なくとも１つのアンテナパネルを含んでもよい。あるいは、複数のアンテナパネルはＵＥの４つ、６つ、またはそれ以上の平面に配置されてもよい。
【０００３】
さらに、ミリ波チャネル特性は従来の周波数帯域のチャネル特性とは大きく異なる。その結果、例えば、大きな経路損失およびより高い周波数帯域に対する妨害のため、ＵＥの複数のアンテナパネルの一部だけが他の複数のアンテナパネルと比較して効果的に動作し得る。
【先行技術文献】
【非特許文献】
【０００４】
【非特許文献１】３ＧＰＰ  ＴＳ  ３６．２１１  Ｖ１３．２．０
【非特許文献２】３ＧＰＰ  ＴＳ  ３６．２１３  Ｖ１３．２．０
【発明の概要】
【発明が解決しようとする課題】
【０００５】
したがって、ミリ波帯などのより高い周波数帯で動作する無線通信システムでは、効果的なアンテナパネル切り替え（選択）技術が必要とされ得る。しかしながら、現在のロングタームエボリューション（ＬＴＥ）規格はＮＲシステムに必要とされるアンテナパネル切り替え方式をサポートしていない。
【課題を解決するための手段】
【０００６】
本発明の１つまたは複数の実施形態によるユーザ端末（ＵＥ）から基地局（ＢＳ）への上りリンク（ＵＬ）の送信方法は、ＵＥにおいて、ＵＥにおける選択情報または決定に基づいて、ＵＥの複数の送信リソースからＵＬ送信用の送信リソースを選択するステップと、ＵＥからＢＳへ、ＵＬ信号またはＵＬチャネルを選択された送信リソースを使用して送信するステップと、を含む。選択情報はＢＳによって指定された送信リソースを示してもよい。
【０００７】
本発明の１つまたは複数の実施形態によるユーザ端末（ＵＥ）からのサウンディング参照信号（ＳＲＳ）送信方法は、ＵＥにおいて、基地局（ＢＳ）からの複数のＳＲＳリソースを示すＳＲＳリソース構成情報を受信するステップと、ＵＥにおいて、複数のＳＲＳリソースに基づいて、ＳＲＳ送信用の少なくとも１つの送信リソースを選択するステップと、ＵＥからＢＳへ、少なくとも１つの送信リソースを使用する少なくとも１つのＳＲＳを送信するステップと、を含む。
【０００８】
本発明の１つまたは複数の実施形態による送信電力制御（ＴＰＣ）の方法は、ＵＥにおいて、ＵＥの各送信リソースに対して異なるＴＰＣを実行するステップと、を含む。
【０００９】
本発明の１つまたは複数の実施形態によるＵＥは、物理チャネル（信号）の送信用の送信リソースを適切に選択可能な複数の送信リソースを含む。
【図面の簡単な説明】
【００１０】
【図１】本発明の１つまたは複数の実施形態に係る無線通信システムの構成を示す図である。
【図２Ａ】本発明の１つまたは複数の実施形態に係るＵＥの複数の送信リソースの例示的な配置構成を示す図である。
【図２Ｂ】本発明の１つまたは複数の実施形態に係るＵＥの複数の送信リソースの例示的な配置構成を示す図である。
【図２Ｃ】本発明の１つまたは複数の実施形態に係るＵＥの複数の送信リソースの例示的な配置構成を示す図である。
【図２Ｄ】本発明の１つまたは複数の実施形態に係るＵＥの複数の送信リソースの例示的な配置構成を示す図である。
【図２Ｅ】本発明の１つまたは複数の実施形態に係るＵＥの複数の送信リソースの例示的な配置構成を示す図である。
【図３】本発明の１つまたは複数の実施形態に係る第１の実施例のＰＵＳＣＨ送信の動作の一例を示すシーケンス図である。
【図４】本発明の１つまたは複数の実施形態に係る第１の変形例のＰＵＳＣＨ送信の動作の一例を示すシーケンス図である。
【図５】本発明の１つまたは複数の実施形態に係る第１の変形例のＰＵＳＣＨ送信の動作の一例を示すシーケンス図である。
【図６】本発明の１つまたは複数の実施形態に係る第２の実施例のＰＵＳＣＨ送信の動作の一例を示すシーケンス図である。
【図７】本発明の１つまたは複数の実施形態に係る第２の変形例のＰＵＳＣＨ送信の動作の一例を示すシーケンス図である。
【図８】本発明の１つまたは複数の実施形態に係る第３の実施例のＰＵＳＣＨ送信の動作の一例を示すシーケンス図である。
【図９】本発明の１つまたは複数の実施形態に係る第４の実施例のＰＵＳＣＨ送信の動作の一例を示すシーケンス図である。
【図１０】本発明の１つまたは複数の実施形態に係る第５の実施例のＰＵＳＣＨ送信の動作の一例を示すシーケンス図である。
【図１１】本発明の１つまたは複数の実施形態に係る他の実施例の送信リソースの選択の一例を示す図である。
【図１２】本発明の１つまたは複数の実施形態に係る第６の実施例のＳＲＳ送信の動作の一例を示すシーケンス図である。
【図１３】本発明の１つまたは複数の実施形態に係る第６の変形例のＳＲＳ送信の動作の一例を示すシーケンス図である。
【図１４】本発明の１つまたは複数の実施形態に係る他の実施例の送信リソースの選択の動作例を示したシーケンス図である。
【図１５】本発明の１つまたは複数の実施形態に係る基地局の概略構成を示すブロック図である。
【図１６】本発明の１つまたは複数の実施形態に係るユーザ端末の概略構成を示すブロック図である。
【発明を実施するための形態】
【００１１】
以下、本発明の実施の形態について図面を参照しながら詳細に説明する。本発明の実施形態では、本発明のより完全な理解を提供するために多数の具体的な詳細が説明されている。しかしながら、本発明がこれらの具体的な詳細がなくとも実施され得ることは当業者には明らかであろう。他の例では、本発明を曖昧にすることを避けるために、よく知られている特徴は詳細に説明されていない。
【００１２】
図１は、本発明の１つまたは複数の実施形態に係る無線通信システム１を示す。無線通信システム１は、ユーザ端末（ＵＥ）１０、基地局（ＢＳ）２０、およびコアネットワーク３０を含む。無線通信システム１は、Ｎｅｗ  Ｒａｄｉｏ（ＮＲ）システム、ＬＴＥ／ＬＴＥ−Ａｄｖａｎｃｅｄ（ＬＴＥ−Ａ）システム、または他のシステムであってもよい。無線通信システム１は本明細書に記載の特定の構成に限定されず、任意の種類の無線通信システムであってもよい。
【００１３】
ＢＳ２０は、セル２１内のＵＥ１０と上りリンク（ＵＬ）および下りリンク（ＤＬ）信号を通信してもよい。ＤＬおよびＵＬ信号は、制御情報およびユーザデータを含んでもよい。ＢＳ２０は、バックホールリンク３１を介してコアネットワーク３０とＤＬおよびＵＬ信号を通信してもよい。ＢＳ２０は、ｇＮｏｄｅＢ（ｇＮＢ）またはＥｖｏｌｖｅｄ  ＮｏｄｅＢ（ｅＮＢ）であってもよい。
【００１４】
ＢＳ２０は、１つまたは複数のアンテナ、隣接するＢＳ２０と通信するための通信インタフェース（例えば、Ｘ２インタフェース）、コアネットワーク３０と通信するための通信インタフェース（例えば、Ｓ１インタフェース）、およびＵＥ１０との間で送受信される信号を処理するためのプロセッサまたは回路などのＣＰＵ（中央処理装置）を含む。ＢＳ２０の動作は、プロセッサがメモリに格納されたデータおよびプログラムを処理または実行することによって実施されてもよい。しかしながら、ＢＳ２０は、上述のハードウェア構成に限定されず、当業者によって理解されるように他の適切なハードウェア構成によって実現されてもよい。無線通信システム１のより広いサービスエリアをカバーするように多数のＢＳ２０が配置されてもよい。
【００１５】
ＵＥ１０はＢＳ２０と制御情報およびユーザデータを含むＤＬおよびＵＬ信号を通信してもよい。ＵＥ１０は、移動局、スマートフォン、携帯電話、タブレット、モバイルルータ、またはウェアラブルデバイスのような無線通信機能を有する情報処理装置であってもよい。無線通信システム１は１つまたは複数のＵＥ１０を含んでもよい。
【００１６】
ＵＥ１０は、プロセッサ、ＲＡＭ（Ｒａｎｄｏｍ  Ａｃｃｅｓｓ  Ｍｅｍｏｒｙ）、フラッシュメモリ、ＢＳ２０とＵＥ１０との間で無線信号を送受信するための無線通信装置などのＣＰＵを含む。例えば、後述するＵＥ１０の動作はメモリに記憶されたデータやプログラムを処理または実行するＣＰＵによって実現されてもよい。しかしながら、ＵＥ１０は上述したハードウェア構成に限定されるものではなく、例えば、以下に説明する処理を実現するための回路で構成されてもよい。
【００１７】
本発明の１つまたは複数の実施形態によるＵＥ１０は、上りリンク送信用の複数の送信リソースを含んでもよい。本発明の１つまたは複数の実施形態による送信リソースは、複数のアンテナ（アンテナポート）、複数のアンテナのグループ（または１つのアンテナ）、上りリンク送信用のビーム、または複数のアンテナポート、複数のアンテナのグループ、およびビームの組み合わせを含む、アンテナパネルと呼ばれることがある。例えば、本発明の１つまたは複数の実施形態では、送信リソースはアンテナポートと、アンテナポートに関連づけられた上りリンク送信用のビームとの組み合わせであってもよい。送信リソースのそれぞれは互いに異なる指向性を有してもよい。
【００１８】
図２Ａ〜２Ｅは、ＵＥ１０の複数の送信リソースの配置構成例を示す図である。例えば、図２Ａに示すように２つの送信リソース１１Ａおよび１１ＢのそれぞれがＵＥ１０の前面側と背面側に配置されてもよい。図２Ｂに示すように４つの送信リソース１１Ａ〜１１ＤのそれぞれがＵＥ１０の前面側、背面側、および両側面側に配置されてもよい。図２Ｃに示すように６つの送信リソース１１Ａ〜１１ＦのそれぞれがＵＥ１０の前面側、背面側、両側面側、両垂直面側に配置されてもよい。他の例としては、図２Ｄに示すようにＵＥ１０が４つの送信リソース１１Ａ、１１Ｂ、１１Ｇ、および１１Ｈを含む場合、２つの送信リソース１１Ａおよび１１Ｇが前面側に配置され、他の送信リソース１１Ｂおよび１１Ｈが前面側に配置されてもよい。他の例としては、図２Ｅに示すように送信リソース１１Ａおよび１１Ｂの両方が、ＵＥ１０において同じ方向を向くように配置されてもよい。
【００１９】
例えば、ユーザがスマートフォンのようなＵＥ１０をユーザの手でＵＥ１０の下側を覆うように握ると、図２Ｅの構成が有効な場合がある。しかしながら、ＵＥ１０の送信リソース１１の配置構成は上述した構成に限定されない。さらに、ＵＥ１０の送信リソース１１の数は２つ、４つ、６つに限定されず、６つ以上でもよい。本発明の１つまたは複数の実施形態では、送信リソース１１Ａ〜１１Ｆはそれぞれ送信リソース＃１、＃２、＃３、＃４、＃５、および＃６とも呼ばれる。
【００２０】
＜ＰＵＳＣＨ送信＞
複数の送信リソース１１を含む、ＵＥ１０による物理上りリンク共有チャネル（ＰＵＳＣＨ）送信は、以下、本発明の第１から第５の実施例の実施形態において詳細に説明される。さらに、本発明の１つまたは複数の実施形態では、ＰＵＳＣＨ送信は上りリンクチャネルまたは上りリンク信号の上りリンク送信の一例である。
【００２１】
（第１の実施例）
本発明の１つまたは複数の実施形態の第１の実施例によるＢＳ２０は、ＰＵＳＣＨ送信用のＵＥ１０の送信リソース１１を指定し、指定された送信リソース１１をＵＥ１０に暗黙的および／または明示的に通知する。
【００２２】
図３は、本発明の１つまたは複数の実施形態に係る第１の実施例のＰＵＳＣＨ送信のための動作の一例を示すシーケンス図である。
【００２３】
図３に示すように、ＢＳ２０はＵＥ１０にリソース選択情報を送信してもよい（ステップＳ１０１）。リソース選択情報はＰＵＳＣＨ送信用のＵＥ１０の送信リソース１１を示す少なくとも１つの送信リソースインデックス（番号）を含んでもよい。例えば、リソース選択情報は送信リソースインデックス、アンテナポートインデックス、または送信リソース１１を指定する他のインデックスなどのアンテナポート関連情報のうちの少なくとも１つを含んでもよい。リソース選択情報は無線リソース制御（ＲＲＣ）シグナリングなどの準静的シグナリング、および下りリンク制御情報（ＤＣＩ）フォーマットを使用するシグナリングなどの動的シグナリングのうちの少なくとも１つを介して送信されてもよい。例えば、リソース選択情報は上りリンク（ＵＬ）グラントに含まれてもよい。
【００２４】
ＵＥ１０はＢＳ２０からリソース選択情報を受信した後、受信した送信リソース指定情報の送信リソースインデックスに基づいて、ＰＵＳＣＨ送信用の送信リソース１１を選択（送信リソース選択）してもよい（ステップＳ１０２）。本発明の１つまたは複数の実施形態では、送信リソース選択は送信リソース切り替えと呼ばれてもよい。そして、ＵＥ１０はＢＳ２０へ、選択された送信リソース１１からＰＵＳＣＨを送信してもよい（ステップＳ１０３）。
【００２５】
したがって、本発明の１つまたは複数の実施形態に係る第１の実施例によれば、ＵＥ１０は複数の送信リソース１１を含む。ＵＥ１０はＢＳ２０から、ＢＳ２０によって指定された送信リソースを示すリソース選択情報を受信してもよい。ＵＥ１０はリソース選択情報に基づいて、ＰＵＳＣＨ送信（上りリンク送信）用の送信リソースを選択してもよい。例えば、ＵＥ１０はＰＵＳＣＨ送信用の送信リソースとしてＢＳ２０によって指定された送信リソースを選択してもよい。ＵＥ１０は選択された送信リソースを使用してＰＵＳＣＨ（上りリンク信号または上りリンクチャネル）を送信してもよい。
【００２６】
本発明の１つまたは複数の実施形態に係る第１の実施例において、リソース選択情報はＢＳ２０によって指定された複数の送信リソースを示してもよい。ＵＥ１０は上りリンク送信用の送信リソースとして指定された複数の送信リソースを選択してもよい。
【００２７】
（第１の変形例）
本発明の１つまたは複数の実施形態に係る第１の実施例によると、ＢＳ２０はＰＵＳＣＨ送信に使用されるＵＥ１０の送信リソース１１の数を指定してもよく、ＵＥ１０に指定された送信リソース１１の数を暗黙的および／または明示的に通知してもよい。
【００２８】
図４は、本発明の１つまたは複数の実施形態に係る第１の変形例のＰＵＳＣＨ送信のための動作の一例を示すシーケンス図である。図４に示すように、ＢＳ２０はＰＵＳＣＨ送信に使用された送信リソース１１の数を含む、リソース選択情報を送信してもよい（Ｓ１０１ａ）。さらに、リソース選択情報は送信リソース１１の数に加えて、送信リソースインデックスを含んでもよい。
【００２９】
ＵＥ１０はＢＳ２０からリソース選択情報を受信した後、受信したリソース選択情報の送信リソース数に基づいて、ＰＵＳＣＨ送信用の送信リソース１１を選択してもよい（ステップＳ１０２ａ）。例えば、送信リソースの数が１つの場合、ＵＥ１０は送信リソース１１のうちのいずれか１つを選択してもよい。図４のステップＳ１０３は図３のステップＳ１０３と同じである。
【００３０】
他の例として、ＢＳ２０はＵＥ１０からの送信リソース指定要求に基づいて、リソース選択情報を送信してもよい。図５に示すように、ＵＥ１０はＢＳ２０へ送信リソース指定要求を送信してもよい。そして、ＢＳ２０は受信した送信リソース指定要求に基づいて、送信リソース１１を指定してもよい。図５のステップＳ１０１からＳ１０３は、図３のステップＳ１０１からＳ１０３とそれぞれ同じである。さらに、例えば、ＵＥ１０はＢＳ２０へ選択された送信リソースに関する情報を送信してもよい。
【００３１】
（第２の実施例）
本発明の１つまたは複数の実施形態に係る第２の実施例によるＵＥ１０はＰＵＳＣＨ送信に使用される送信リソース１１を決定してもよく、ＵＥ１０の複数の送信リソースから決定された送信リソース１１（ＵＥ１０における決定）に基づいて、上りリンク送信用の送信リソース１１を選択してもよい。
【００３２】
図６は、本発明の１つまたは複数の実施形態に係る第２の実施例によるＰＵＳＣＨ送信のための動作の一例を示すシーケンス図である。
【００３３】
図６に示すように、ＢＳ２０はＵＥ１０に所定の参照信号を送信してもよい（ステップＳ２０１）。例えば、所定の参照信号はチャネル状態情報参照信号（ＣＳＩ−ＲＳ）、専用参照信号（ＤＲＳ）、セル固有参照信号（ＣＲＳ）であってもよい。参照信号は新たに定義された信号であってもよい。
【００３４】
ＵＥ１０がＢＳ２０から参照信号を受信した後、ＵＥ１０は受信した参照信号に基づいて、受信品質（またはパスロス）測定を実行してもよい（ステップＳ２０２）。受信品質は参照信号受信電力（ＲＳＲＰ）、受信信号強度インジケータ（ＲＳＳＩ）、またはチャネル品質を反映する他の情報であってもよい。ＵＥ１０は測定結果に基づいて、ＰＵＳＣＨ送信用の送信リソース１１を選択してもよい（ステップＳ２０３）。例えば、ＵＥ１０は最も高い受信品質（または最小のパスロス）を有する送信リソース１１を選択してもよい。そして、ＵＥ１０はＢＳ２０へ選択された送信リソース１１からＰＵＳＣＨを送信してもよい（ステップＳ２０４）。さらに、ＢＳ２０はＵＥ１０に下りリンク参照信号の送信電力を通知してもよく、その後、ＵＥ１０は送信電力を用いてＲＳのパスロスを測定してもよい。ＵＥ１０はＢＳ２０にＰＵＳＣＨ送信に使用された選択された送信リソース１１を示す選択送信リソース情報を通知してもよい（ステップＳ２０５）。
【００３５】
したがって、本発明の１つまたは複数の実施形態に係る第２の実施例によれば、ＵＥ１０はＢＳ２０から所定の参照信号を受信してもよく、受信した所定の参照信号の受信品質に基づいて送信リソースを決定してもよい。そして、ＵＥ１０はＵＥ１０の複数の送信リソースから決定した送信リソースを上りリンクの送信に使用される送信リソースとして選択してもよい。
【００３６】
（第２の変形例）
本発明の１つまたは複数の実施形態に係る第２の変形例によるＵＥ１０はＢＳ２０へ、選択された送信リソース１１を示す情報を通知してもよい。
【００３７】
図７は、本発明の１つまたは複数の実施形態に係る第２の変形例のＰＵＳＣＨ送信の動作の一例を示すシーケンス図である。図７のステップＳ２０１からＳ２０３は、図６のステップＳ２０１からＳ２０３と、それぞれ同じである。
【００３８】
図７に示すように、ステップＳ２０３においてＵＥ１０は送信リソース１１を選択してもよい。ＵＥ１０はＢＳ２０に選択送信リソース１１を示す情報（選択送信リソース情報）を送信してもよい（Ｓ２０５）。さらに、ステップＳ２０４においてＵＥ１０は選択送信リソース情報をＰＵＳＣＨ送信前に送信してもよい。
【００３９】
本発明の１つまたは複数の実施形態に係る第２の変形例によれば、ＢＳ２０がＵＥ１０から選択送信リソース情報を受信する場合、ＢＳ２０は選択送信リソース情報に基づいて、擬似コロケーション情報を切り替えてもよい。
【００４０】
（第３の実施例）
本発明の１つまたは複数の実施形態に係る第３の実施例の方法はＢＳ２０によって送信リソース１１を指定する方法と、ＵＥ１０によって送信リソース１１を決定する方法との間で切り替えてもよい。図８は、本発明の１つまたは複数の実施形態に係る第３の実施例のＰＵＳＣＨ送信の動作の一例を示すシーケンス図である。
【００４１】
図８に示すように、ＢＳ２０はＵＥ１０に指示情報を送信してもよい（ステップＳ３０１）。指示情報はＵＥにおける選択情報または決定に基づいて、上りリンク送信に使用されるリソース情報が選択されるべきかどうかを指定してもよい。指示情報はＲＲＣシグナリングおよびＤＣＩなどの上位レイヤシグナリングのうちの少なくとも１つを介して送信されてもよい。
【００４２】
ＢＳ２０はＵＥ１０へＢＳ２０によって指定された送信リソースインデックスを示すリソース選択情報を送信してもよい（ステップＳ３０２）。
【００４３】
ＢＳ２０はＵＥ１０へ参照信号を送信してもよい（ステップＳ３０３）。
ＵＥ１０は指示情報に基づいてＰＵＳＣＨ送信用の送信リソース１１を選択してもよい（ステップＳ３０４）。
【００４４】
指示情報がＢＳからのリソース選択情報に基づいて送信リソース選択を指定する場合、ＵＥ１０は選択情報のうちの指定された送信リソース１１に基づいてＰＵＳＣＨ送信用の送信リソース１１を選択してもよい。
【００４５】
一方で、指示情報がＵＥ１０での決定に基づいて送信リソース選択を指示している場合、ＵＥ１０は受信した参照信号を用いて送信リソースを決定してもよく、決定した送信リソースに基づいてＰＵＳＣＨ送信用の送信リソース１１を選択してもよい。例えば、ＵＥ１０は受信した参照信号の受信品質（またはパスロス）に基づいて送信リソースを決定してもよい。
【００４６】
そして、ＵＥ１０はＢＳ２０へ選択された送信リソース１１からＰＵＳＣＨを送信してもよい（ステップＳ３０５）。
【００４７】
本発明の１つまたは複数の実施形態に係る第３の実施例として、例えば、送信リソース１１の数が２である場合、リソース選択情報において送信リソース１１Ａ（送信リソースインデックス「１」）、送信リソース１１Ｂ（送信リソースインデックス「２」）、およびＵＥ１０への送信リソース選択の指示は２ビットのフィールドを用いて、それぞれ「００」、「０１」、および「１０」と示されてもよい。
【００４８】
他の例として、例えば、送信リソース１１の数が２である場合、リソース選択情報は１ビットフィールドを用いており、ＢＳ２０によって行われる送信リソース選択を示す情報およびＵＥ１０によって行われる送信リソース選択を示す情報はそれぞれ「０」、「１」と示されてもよい。
【００４９】
（第４の実施例）
ＬＴＥ  Ｒｅｌ．１３は様々なアンテナ構成に適用可能である、下りリンク多入力多出力（ＭＩＭＯ）における構成可能なコードブックを定義している。具体的には、設定可能なコードブックに従って、ＵＥ１０はＢＳ２０から通知されたＢＳ２０のアンテナポート数を含む、事前情報に基づいてコードブックを生成する。
【００５０】
本発明の１つまたは複数の実施形態に係る第４の実施例によるＵＥ１０は送信リソース１１の数のような事前情報に基づいてコードブックを生成してもよく、送信プリコーディング行列インジケータ（ＴＰＭＩ）を用いて送信リソース１１を選択してもよい。
【００５１】
図９は、本発明の１つまたは複数の実施形態に係る第４の実施例のＰＵＳＣＨ送信の動作の一例を示すシーケンス図である。
図９に示すように、ＢＳ２０は送信リソース１１の数の通知を送信してもよい（ステップＳ４０１）。そして、ＵＥ１０は送信リソース１１の数に基づいてコードブックを生成してもよい（ステップＳ４０２）。
【００５２】
例えば、送信リソース１１Ａ（送信リソースインデックス「１」）および送信リソース１１Ｂ（送信リソースインデックス「２」）はそれぞれ１６−Ｔｘコードブックおよび８−Ｔｘコードブックに関連付けられてもよい。コードブックの実装例については、以下、詳細に説明する。例えば、異なる送信リソース１１が同一の事前情報と関連付けられてもよい。
【００５３】
ＢＳ２０はＵＥ１０へＰＵＳＣＨ送信用の送信リソース１１の指定を暗黙的に示す送信リソース選択を達成するためにＴＰＭＩまたは他の何らかの信号を送信してもよい（ステップＳ４０３）。すなわち、ＴＰＭＩはＢＳ２０によって指定された送信リソースを示すリソース選択情報を含み得る。
【００５４】
ＵＥ１０がＢＳ２０から送信リソース選択を達成するためにＴＰＭＩまたは他の何らかの信号を受信した後、ＵＥ１０は受信したＰＭＩおよび生成されたコードブックに基づいて、送信リソース１１を選択してもよい（ステップＳ４０４）。そして、ＵＥ１０はＢＳ２０へ選択された送信リソース１１からＰＵＳＣＨを送信してもよい（ステップＳ４０５）。
【００５５】
本発明の１つまたは複数の実施形態に係る第４の実施例のコードブックは、以下のように実施されてもよい。
【００５６】
（コードブックの第１の実装例）
【数１】
2019531634.tif 000003
さらに、上述のコードブックの第１の実装例では、クロネッカー積が使用されてもよい。
【００５７】
Ｓは送信リソースの数の長さを有する行ベクトルであり、選択された送信リソース内の要素は１であり、他の要素は０である。
【００５８】
Ｓのゼロ以外の要素は複数になり得る。送信リソース間の総電力は一定であり得る（送信リソースあたりの電力は総送信電力を維持するために調整され得る）。
【００５９】
Ｓは送信リソースの数の長さを有する行ベクトルであり、ここで、Ｓｉｇｍａ（Ｓｉ２）＝１であり、ＳｉはベクトルＳのｉ番目の要素である。
【００６０】
Ｓは送信リソースの数の長さを有する行ベクトルであり、選択された送信リソースの要素は１／（ｓｑｒｔ（Ｎ））であり、その他の要素は０である（Ｎは選択された送信リソースの数）。
【００６１】
（コードブックの第２の実装例）
【数２】
2019531634.tif 000004
コードブックの第２の実装例はプリコーダが送信リソースごとに変更されるときに使用されてもよい。さらに、上述のコードブックの第２の実装例では、クロネッカー積が使用されてもよい。
【００６２】
Ｐは送信リソースの数である。
Ｗpiはｉ番目の送信リソース用のプリコーダである（選択されていない送信リソース用のゼロ行列）。
Ｓｉは送信リソースの数の長さを有する行ベクトルであり得る。
選択された送信リソースに対して、ｉ番目の要素はゼロではなく、他の要素は０である。
Ｓｉｇｍａ（Ｓｉｊ）＝１、ここで、ＳｉｊはＳｉのｊ番目の要素である。
ゼロ以外の要素は、１／（ｓｑｒｔ（Ｎ））であり得る。
選択されていない送信リソースのすべての要素は０である。
【００６３】
（第５の実施例）
本発明の１つまたは複数の実施形態に係る第５の実施形態によれば、ＵＥ１０はＣＳＩ−ＲＳリソースインジケータ（ＣＲＩ）に基づいて、送信リソース１１を選択してもよい。図１０は、本発明の１つまたは複数の実施形態に係る第５の実施例のＰＵＳＣＨ送信の動作の一例を示すシーケンス図である。例えば、ＣＲＩはＳＲＳリソースインジケータ（ＳＲＩ）と呼ばれてもよい。
【００６４】
図１０に示すように、ＢＳ２０はＣＲＩをＵＥ１０に送信してもよい（ステップＳ５０１）。本発明の１つまたは複数の実施形態に係る第５の実施形態によるＣＲＩはＢＳ２０によって指定された送信リソースインデックスを示す情報を含んでもよい。
【００６５】
ＵＥ１０がＢＳ２０からＣＲＩを受信した後、ＵＥ１０はＣＲＩの送信リソースインデックスに基づいてＰＵＳＣＨ送信用の送信リソース１１を選択してもよい（ステップＳ５０２）。
【００６６】
そして、ＵＥ１０はＢＳ２０へ選択された送信リソース１１からＰＵＳＣＨを送信してもよい（ステップＳ５０３）。
【００６７】
さらに、ＢＳ２０は選択された送信リソース１１、例えば、選択されたＣＲＩに基づいて、ランクインジケータ（ＲＩ）、プリコーディング行列インジケータ（ＰＭＩ）、およびチャネル品質インジケータ（ＣＱＩ）の全部または一部を計算し送信してもよい。
【００６８】
（第１の実施例の他の例）
他の例として、例えば、ＢＳ２０によって指定された送信リソース１１は制限されてもよい。図１１に示すように、例えば、ＵＥ１０は１１Ａから１１Ｄの４つの送信リソース（送信リソースインデックス「１」から「４」）を含んでもよい。ＰＵＳＣＨ送信用に１つまたは２つの送信リソース１１が選択される場合、最大で１０個の送信リソースの組み合わせがある。
【００６９】
しかしながら、本発明の１つまたは複数の実施形態に係る他の実施例によれば、送信リソース１１の選択可能な組み合わせは図１１に示されるように８つの組み合わせであるように制限されてもよい。そのような場合、例えば、ＢＳ２０は、上述の８つの組み合わせから指定された１つまたは２つの送信リソースインデックスを送信してもよい。例えば、ＢＳ２０は上述の８つの組み合わせの送信リソースインデックスを送信してもよい。さらに、選択可能な組み合わせは図１１に示すように８つに限られず、所定の組み合わせであってもよい。
【００７０】
他の例として、例えば、送信リソース選択は各物理チャネルまたは信号に対して独立して実行されてもよく、または、一般に各物理チャネルまたは信号に対して実行されてもよい。さらに、送信リソース選択は上りリンクと下りリンクとの間で独立して実行されてもよく、一般に上りリンクと下りリンクとの間で実行されてもよい。
【００７１】
他の例として、例えば、ＢＳ２０によって指定またはＵＥ１０によって選択された送信リソース１１はすべての周波数帯域またはサブバンド単位において同一であってもよい。
【００７２】
＜ＳＲＳ送信＞
複数の送信リソース１１を含む、ＵＥ１０によるサウンディング参照信号（ＳＲＳ）送信は、以下、本発明の実施形態に係る第６の実施例において詳細に説明される。
【００７３】
（第６の実施例）
本発明の実施形態に係る第６の実施例によれば、ＵＥ１０は複数のＳＲＳの各々を送信してもよい。本発明の実施形態に係る第６の実施例では、下りリンクＣＳＩプロセスのように、複数のＳＲＳプロセス（またはＳＲＳリソース）はＳＲＳ送信用に構成されてもよい。
【００７４】
図１２は、本発明の１つまたは複数の実施形態に係る第６の実施例のＳＲＳ送信の動作の一例を示すシーケンス図である。
【００７５】
例えば、ＳＲＳプロセスにおけるＳＲＳパラメータ（ＳＲＳリソース構成情報）は、セル固有のＳＲＳパラメータとＵＥ固有のＳＲＳパラメータとを含む。
【００７６】
セル固有のＳＲＳパラメータは、ブロードキャストチャネルまたは他の制御チャネルを使用して送信されてもよい。セル固有のＳＲＳパラメータは「ｓｒｓ−ＳｕｂｆｒａｍｅＣｏｎｆｉｇ」および「ｓｒｓ−ＢａｎｄｗｉｄｔｈＣｏｎｆｉｇ」を含む。「ｓｒｓ−ＳｕｂｆｒａｍｅＣｏｎｆｉｇ」はＳＲＳを送信可能なサブフレームを示す。「ｓｒｓ−ＢａｎｄｗｉｄｔｈＣｏｎｆｉｇ」はＳＲＳ送信の帯域幅の構成を示す。
【００７７】
ＵＥ固有のＳＲＳパラメータはＲＲＣシグナリングを用いて送信されてもよい。ＵＥ固有のＳＲＳパラメータは周期的ＳＲＳ送信から独立して構成されてもよい。ＵＥ固有のＳＲＳパラメータは「ｓｒｓ−ＣｏｎｆｉｇＩｎｄｅｘＡｐ」、「ｓｒｓ−ＢａｎｄｗｉｄｔｈＡｐ」、「ｆｒｅｑＤｏｍａｉｎＰｏｓｉｔｉｏｎＡｐ」、「ｃｙｃｌｉｃＳｈｉｆｔＡｐ」、「ｔｒａｎｓｍｉｓｓｉｏｎＣｏｍｂＡｐ」、および「ｓｒｓ−ＡｎｔｅｎｎａＰｏｒｔＡｐ」を含む。
【００７８】
「ｓｒｓ−ＣｏｎｆｉｇＩｎｄｅｘＡｐ」はＵＥ固有のＳＲＳの送信タイミングを示す。「ｓｒｓ−ＢａｎｄｗｉｄｔｈＡｐ」はＳＲＳ送信の帯域幅を示す。「ｆｒｅｑＤｏｍａｉｎＰｏｓｉｔｉｏｎＡｐ」はＳＲＳの周波数位置を示す。「ｃｙｃｌｉｃＳｈｉｆｔＡｐ」および「ｔｒａｎｓｍｉｓｓｉｏｎＣｏｍｂＡｐ」はマルチアンテナ多重化に用いられてもよい。「ｓｒｓ−ＡｎｔｅｎｎａＰｏｒｔＡｐ」はＳＲＳ送信のアンテナポートの数を示す。
【００７９】
図１２に示すように、ＢＳ２０はＵＥ１０に複数のＳＲＳプロセス（例えば、ＳＲＳプロセス＃１および＃２）で送信してもよい（ステップＳ６０１ａおよび６０１ｂ）。各ＳＲＳプロセスはＢＳ２０によって指定された送信リソース１１の各々に関連付けられてもよい。
【００８０】
例えば、ＳＲＳプロセス＃１および＃２はそれぞれ送信リソース＃１および＃２に関連付けられてもよい。さらに、本発明の１つまたは複数の実施形態によれば、ＳＲＳプロセスの数は２つに限定されず、少なくとも１つより多ければよい。さらに、ＢＳ２０はＵＥ１０に複数のＳＲＳリソースを示すＳＲＳリソース構成情報を送信してもよい。
【００８１】
ＵＥ１０がＢＳ２０から複数のＳＲＳプロセスで受信した後、ＵＥ１０はＳＲＳプロセスに基づいて各ＳＲＳ送信に対し、送信リソース１１を選択してもよい（ステップＳ６０２）。例えば、ＵＥ１０はＳＲＳプロセス＃１に対応するＳＲＳ送信（ＳＲＳ＃１送信）に対して、送信リソース＃１に関連付けられた送信リソース１１を選択してもよい。ＵＥ１０はＳＲＳプロセス＃２に対応するＳＲＳ送信（ＳＲＳ＃２送信）に対して、送信リソース＃２に関連付けられた送信リソース１１を選択してもよい。
【００８２】
そして、ＵＥ１０はＢＳ２０に送信リソース＃１、＃２に関連付けられ選択された送信リソース１１からＳＲＳ＃１、＃２をそれぞれ送信してもよい（ステップＳ６０３ａ、Ｓ６０３ｂ）。
【００８３】
さらに、例えば、本発明の実施形態に係る第６の実施例によれば、ＳＲＳプロセスは上りリンクと下りリンクとの間で同一であってもよく、上りリンクと下りリンクとの間で独立して異なっていてもよい。
【００８４】
さらに、例えば、本発明の実施形態に係る第６の実施例によれば、構成可能なＳＲＳプロセスの数は制限されてもよい。例えば、構成可能なＳＲＳプロセスの数は１、２、３、４、５、６、７、８、９、１０、および１６などの所定の上限値以下になるように制限されてもよい。
【００８５】
さらに、例えば、本発明の１つまたは複数の実施形態に係る第６の実施例によれば、単一のＳＲＳプロセスに含まれるアンテナポートのグループは送信リソース１１においてグループ化されてもよい。例えば、アンテナポート１〜４から構成されるアンテナポートグループ＃１は送信リソース１１Ａ（送信リソースインデックス「１」）に関連付けられてもよく、アンテナポート５〜８から構成されるアンテナポートグループ＃２は送信リソース１１Ｂ（送信リソースインデックス「２」）に関連付けられてもよい。
【００８６】
さらに、例えば、ＵＥ１０（またはＢＳ２０）はＢＳ２０（またはＵＥ１０）にアンテナポートグループの数を通知してもよい。
【００８７】
（第６の変形例）
本発明の１つまたは複数の実施形態に係る第６の変形例によれば、ＳＲＳプロセスは下りリンク拡張ＭＩＭＯ（ｅＭＩＭＯ）タイプＢ  ＣＳＩ−ＲＳのような、その各々がＳＲＳ送信用に指定された送信リソース１１に関連付けられている複数のＳＲＳリソースを含んでいる。
【００８８】
図１３は、本発明の１つまたは複数の実施形態に係る第６の変形例のＳＲＳ送信の動作の一例を示すシーケンス図である。
図１３に示すように、ＢＳ２０はＵＥ１０に複数のＳＲＳリソース（例えば、ＳＲＳリソース＃１、＃２および＃３）を含むＳＲＳプロセスを送信してもよい（ステップＳ６０１ｃ）。
【００８９】
各ＳＲＳリソースはＢＳ２０によって指定された各々の送信リソース１１と関連付けられてもよい。例えば、ＳＲＳリソース＃１、＃２および＃３は、それぞれ送信リソース＃１、＃２および＃３に関連付けられてもよい。さらに、本発明の１つまたは複数の実施形態によれば、ＳＲＳプロセスに含まれるＳＲＳリソースの数は３つに限定されず、少なくとも１つより多ければよい。
【００９０】
ＵＥ１０がＢＳ２０から複数のＳＲＳリソースを含むＳＲＳプロセスを受信した後、ＵＥ１０は複数のＳＲＳリソースに基づいて各ＳＲＳ送信用の送信リソース１１を選択してもよい（ステップＳ６０２）。例えば、ＵＥ１０はＳＲＳリソース＃１、＃２および＃３に対応するＳＲＳ送信（ＳＲＳ＃１、＃２および＃３送信）用のそれぞれの送信リソース＃１、＃２および＃３に関連付けられた送信リソース１１を選択してもよい。
【００９１】
そして、ＵＥ１０はＢＳ２０に、選択された送信リソース＃１、＃２および＃３からＳＲＳ＃１、＃２、＃３をそれぞれ送信してもよい（ステップＳ６０３ｃ、Ｓ６０３ｄおよびＳ６０３ｅ）。
【００９２】
さらに、１つまたは複数の送信リソース（以下では、メイン送信リソースと呼ぶ）（例えば、選択された送信リソース１１）は、高精度のサウンディングを要求され得る。例えば、メイン送信リソースは少なくとも所定の送信リソース１１であってもよい。
【００９３】
他の例として、本発明の１つまたは複数の実施形態に係る第６の変形例によれば、ＳＲＳ送信の送信周期性および周波数帯域は送信リソース１１ごとに設定されてもよい。例えば、ＳＲＳ送信の送信周期性および送信周波数帯域はＳＲＳ設定（ＳＲＳプロセス）ごとに設定されてもよいし、アンテナポートグループごとに設定されてもよい。
【００９４】
例えば、メイン送信リソースからの送信周期性は他の送信リソースからの送信周期性よりも短くてもよい。例えば、メイン送信リソースからの送信周波数帯域は他の送信リソースからの送信周波数帯域よりも広い周波数帯域であってもよい。さらに、メイン送信リソースとして使用される送信リソース１１が切り替えられる場合、切り替えられたメイン送信リソースの送信周期性、周波数帯域、多重方法は変更され得る。
【００９５】
他の例として、本発明の１つまたは複数の実施形態に係る第６の変形例によれば、非周期的ＳＲＳが送信される場合、ＢＳ２０によって指定された送信リソース１１に基づいて送信リソース１１が選択されてもよい。他の例として、非周期的ＳＲＳはメイン送信リソース（１つまたは複数の選択された送信リソース１１）のみから送信されてもよい。他の例として、例えば、送信リソース１１の切り替えのために非周期的ＳＲＳが送信される場合、メイン送信リソース以外の送信リソース１１であるサブ送信リソースから周期的ＳＲＳが送信されてもよい。
【００９６】
＜ＰＵＣＣＨ送信＞
（第７の実施例）
本発明の１つまたは複数の実施形態に係る第７の実施例における物理上りリンク制御チャネル送信用の送信リソース選択について以下に説明する。本発明の１つまたは複数の実施形態に係る第７の実施例においては、ＵＥ１０によって選択されたＰＵＣＣＨ送信用の送信リソース１１は他の物理チャネルおよび／または信号用に選択された送信リソース１１と同じであってもよい。例えば、ＵＥ１０によって選択されたＰＵＣＣＨ送信用の送信リソース１１はＰＵＳＣＨ送信用に選択された送信リソース１１と同じであってもよい。
【００９７】
ＰＵＣＣＨ送信用の送信リソース選択の他の例として、本発明の１つまたは複数の実施形態に係る第７の実施例によれば、最良の受信品質または最小のパスロスを有する送信リソース１１がＰＵＣＣＨ送信用の送信リソース１１として選択されてもよい。
【００９８】
＜ＰＲＡＣＨ送信＞
（第８の実施例）
本発明の１つまたは複数の実施形態に係る第８の実施例における物理ランダムアクセスチャネル（ＰＲＡＣＨ）送信用の送信リソース選択について、以下に説明する。本発明の１つまたは複数の実施形態に係る第８の実施例によれば、ＵＥ１０によって選択されたＰＲＡＣＨ送信用の送信リソース１１は他の物理チャネルおよび／または信号用に選択された送信リソース１１と同じであってもよい。例えば、ＵＥ１０によって選択されたＰＲＡＣＨ送信用の送信リソース１１はＰＵＳＣＨ（またはＰＵＣＣＨ）送信用に選択された送信リソース１１と同じであってもよい。
【００９９】
例えば、初期アクセスまたはランダムアクセス手順におけるＵＥ固有信号の送受信が所定の無通信と共に行われる場合、ＢＳ２０はＵＥ１０の送信リソース１１を適切に指定することができない。したがって、ＰＲＡＣＨ送信用の送信リソース選択の他の例として、本発明の１つまたは複数の実施形態によれば、ＵＥ１０は自律的に送信リソース１１を選択してもよい。例えば、ＵＥ１０は下りリンク信号のパスロス又は受信品質（例えば、ＲＳＲＰおよびＲＳＲＱ）に基づいて、ＰＲＡＣＨ送信用の送信リソース１１を選択してもよい。さらに、ＵＥ１０はアイドル期間が所定の期間より長いという所定の条件に基づいて、自律的にＰＲＡＣＨ送信用の送信リソース１１を選択してもよい。
【０１００】
ＰＲＡＣＨ送信用の送信リソース選択の他の例として、本発明の１つまたは複数の実施形態に係る第８の実施例による送信リソース１１は、高いダイバーシチ利得を提供するようにＰＲＡＣＨ送信期間中に切り替えられてもよい。
【０１０１】
ＰＵＣＣＨ送信用の送信リソース選択の他の例として、本発明の１つまたは複数の実施形態に係る第８の実施例によるＰＲＡＣＨは、高いダイバーシチ利得を提供するように単一のＰＲＡＣＨ送信期間中に複数の送信リソース１１から同時に送信されてもよい。
【０１０２】
＜ＤＭ−ＲＳ送信＞
（第９の実施例）
本発明の１つまたは複数の実施形態に係る第９の実施例における復調用参照信号（ＤＭ−ＲＳ）送信用の送信リソース選択について、以下に説明する。本発明の１つまたは複数の実施形態に係る第９の実施例によれば、ＵＥ１０によって選択されたＤＭ−ＲＳ送信用の送信リソース１１は他の物理チャネルおよび信号用に選択された送信リソース１１と同じであってもよい。
【０１０３】
例えば、ＵＥ１０によって選択されたＰＵＣＣＨ送信用の送信リソース１１はＰＵＳＣＨ（またはＰＵＣＣＨ）送信用に選択された送信リソース１１と同じであってもよい。これは擬似コロケーション情報と呼ばれ得る。この意味で、ＵＥ１０はＤＭ−ＲＳが関連するＰＵＳＣＨ（またはＰＵＣＣＨ）と擬似的に同じ場所に配置されていると仮定することができる。
【０１０４】
（上りリンク送信用の送信リソース選択の他の例）
ＰＵＳＣＨ、ＳＲＳ、ＰＵＣＣＨ、ＰＲＡＣＨ、およびＤＭ−ＲＳ送信用の上述の送信リソース選択の他の例として、本発明の１つまたは複数の実施形態によれば、ＵＥ１０はＢＳ２０にＵＥ１０の送信リソース１１の数を通知してもよい。
【０１０５】
図１４に示すように、ＵＥ１０はＢＳ２０に複数の送信リソース１１のそれぞれの構成を示す送信リソース情報を送信してもよい（ステップＳ７０１）。送信リソース情報はＵＥ１０の送信リソース１１の数、同時に信号を送信および／または受信することができる送信リソースの数、および送信リソース１１のアンテナ構成のうちの少なくとも１つを含んでもよい。
【０１０６】
例えば、送信リソース情報はＵＥ能力情報として送信されてもよい。例えば、送信リソース情報は送受信部（ＴＸＲＵ）の数、ストリームの数、およびトランスポートブロックサイズを含んでもよい。例えば、ＴＸＲＵの数、ストリームの数、およびトランスポートブロックサイズは、各送信リソース１１に対するものであってもよい。送信リソースインデックスは、各送信リソース１１に割り当てられてもよい。例えば、送信リソース情報はＵＥ１０において利用可能な送信リソースの数を示してもよい。
【０１０７】
ＢＳ２０は送信リソース情報に基づいて送信リソース１１を指定してもよい。そして、ＢＳ２０はＢＳ２０に送信リソースインデックスを含むリソース選択情報を送信してもよい（ステップＳ７０２）。
【０１０８】
ＵＥ１０はＢＳ２０からリソース選択情報を受信した後、ＵＥ１０は受信したリソース選択情報の送信リソースインデックスに基づいて、ＰＵＳＣＨ送信用の送信リソース１１を選択してもよい（ステップＳ７０３）。例えば、ＢＳによって指定された送信リソースの数はＵＥ１０において利用可能な送信リソースの数以下であってもよい。そして、ＵＥ１０はＢＳ２０へ選択された送信リソース１１からＰＵＳＣＨ（ＳＲＳ、ＰＵＣＣＨ、ＰＲＡＣＨ、またはＤＭ−ＲＳ）を送信してもよい（ステップＳ７０４）。
【０１０９】
さらに、送信リソース１１のアンテナ構成は送信リソース１１ごとにあってもよい。例えば、アンテナ構成は８−Ｔｘおよび４−Ｔｘとして示されてもよく、これはＵＥ１０が８−Ｔｘ送信リソースおよび４−Ｔｘ送信リソースから構成される２つの送信リソース１１を含むことを意味する。
【０１１０】
例えば、送信リソース１１のアンテナ構成は各送信リソース１１の平面（垂直／水平）アンテナおよび偏波アンテナの数の全部または一部を含んでもよい。例えば、アンテナ構成はＵＥ１０からＢＳ２０に適用されたコードブックとして送信されてもよい。さらに、ＢＳ２０において複数の送信リソース１１のアンテナ構成は同一であると仮定されてもよい。
【０１１１】
さらに、ＵＥ１０によって送信され得る送信リソース１１の数は制限されてもよい。例えば、ＵＥ１０が１６個の送信リソースを含む場合、ＵＥはＢＳ２０への通知用に所定の候補の中から送信リソース１１の数を選択してもよい。例えば、（１，２）、（１，２，３，４）、（１，２，４，６）、（１，２，…，５，６）、（１，２，…，７，８）、（１，２，３，４，６，８，１２，１６）、（１，２，３，４，…，１５，１６）。
【０１１２】
＜送信電力制御＞
（第１０の実施例）
本発明の１つまたは複数の実施形態に係る第１０の実施例によるＵＥ１０は各送信リソース１１に対して、送信電力制御（ＴＰＣ）を独立して実行してもよい。例えば、ＵＥ１０は各送信リソース１１に対して、異なる開ループＴＰＣ（例えば、経路損失推定）を実行してもよい。例えば、ＵＥ１０は各送信リソース１１に対して異なる閉ループＴＰＣを実行してもよい。例えば、ＵＥ１０は各送信リソース１１に対してＴＰＣのための異なるパラメータ（例えば、ＬＴＥにおけるＰｃｍａｘ、Ｐ０、ａｌｐｈａ、およびＤＴＦ）を送信してもよい。
【０１１３】
（第１０の変形例）
本発明の１つまたは複数の実施形態に係る第１０の変形例によれば、ＴＰＣが適用される送信リソース１１はシグナリングオーバヘッド削減のために制限されてもよい。例えば、ＴＰＣ（例えば、閉ループＴＰＣ）は少なくともＵＥ１０によって選択されたまたはＢＳ２０によって指定された所定の送信リソース１１に適用されてもよい。他の例として、ＴＰＣは所定の送信リソース１１を基準として使用し実行されてもよい。
【０１１４】
本発明の１つまたは複数の実施形態に係る第１０の変形例によれば、送信リソース１１が切り替えられる（選択される）場合、既存の閉ループＴＰＣのオフセット値はリセットまたは引き継がれてもよい。ＢＳ２０は閉ループＴＰＣがリセットまたは引き継がれるかを指定してもよい。
【０１１５】
本発明の１つまたは複数の実施形態に係る第１０の変形例によれば、送信リソース１１が切り替えられる（選択される）場合、既存の送信電力は再利用されてもよい。例えば、閉ループＴＰＣ情報（例えば、閉ループＴＰＣのオフセット値）は既存の送信電力に基づいて再計算されてもよい。
【０１１６】
＜ＳＲＳ送信用の送信電力制御＞
（第１１の実施例）
異なる送信リソース１１のチャネル品質がかなり比較されるとき、送信リソース１１からのＳＲＳ送信用の送信電力が同じである（または各送信リソース１１間の相対的な電力差が認識される）ことが要求され得る。そのような場合、例えば、蓄積型制御によって引き起こされるエラー伝播を回避することが必要とされ得る。
【０１１７】
本発明の１つまたは複数の実施形態に係る第１１の実施例によるＵＥ１０は複数の送信リソース１１からのＳＲＳ送信用の送信電力を同一に設定してもよい。他の例として、ＵＥ１０は複数の送信リソース１１からのＳＲＳ送信用の送信電力を相対的に区別してもよい。例えば、ＵＥ１０からＢＳ２０に送信電力の差が送信されてもよい。他の例として、ＵＥ１０はＢＳ２０にＳＲＳ送信用の送信電力の絶対値を通知してもよい。
【０１１８】
（第１１の変形例）
本発明の１つまたは複数の実施形態に係る第１１の変形例によるＵＥ１０はＰＵＳＣＨ送信用の送信電力に基づいて、送信リソースからＳＲＳ送信用の送信電力を相対的に決定してもよい。例えば、ＵＥ１０は各送信リソース１１からのＰＵＳＣＨ送信用の送信電力に対する相対値に基づいて、各送信リソース１１からのＳＲＳ送信用の送信電力を決定してもよい。例えば、ＵＥ１０は選択された送信リソース１１からＰＵＳＣＨ送信用の送信電力に基づいて、選択された送信リソース１１からＳＲＳ送信用の送信電力を決定してもよい。
【０１１９】
＜ＰＲＡＣＨ送信用の送信電力制御＞
（第１２の実施例）
本発明の１つまたは複数の実施形態に係る第１２の実施例によれば、ＵＥ１０がＰＲＡＣＨ送信用にＴＰＣを実行してもよい場合、ＴＰＣは各送信リソース１１に独立して適用してもよい。
【０１２０】
（第１１の変形例）
本発明の１つまたは複数の実施形態に係る第１２の変形例によれば、ＵＥ１０がＰＲＡＣＨ送信用にＴＰＣを実行してもよい場合、ＴＰＣは一般に、切り替えられた送信リソース１１に適用してもよい。例えば、ＵＥ１０がＰＲＡＣＨ送信用の送信リソース１１を選択（切り替え）する場合（例えば、送信リソース（インデックス）「１」が送信リソース（インデックス）「２」に切り替えられ、その後、送信リソース（インデックス）「２」が送信リソース（インデックス）「１」に切り替えられた場合）、一般的な増加制御は送信リソース（インデックス）「１」および送信リソース（インデックス）「２」に適用されてもよい。
【０１２１】
他の例として、送信リソース（インデックス）「１」の送信電力がｘであり、送信リソース（インデックス）「２」の送信電力がｘ＋ｋであり、送信リソース（インデックス）「１」の送信電力がｘ＋２ｋであり、送信リソース（インデックス）「２」の送信電力がｘ＋３ｋであるように、送信電力は増加されてもよい。そうでなければ、例えば、送信リソース（インデックス）「１」の送信電力がｘであり、送信リソース（インデックス）「２」の送信電力がｘであり、送信リソース（インデックス）「１」の送信電力がｘ＋ｋであり、送信リソース（インデックス）「２」の送信電力がｘ＋ｋであるように、送信電力は増加されてもよい。ここで、上述の送信電力はｄＢで表示できる。
【０１２２】
ＰＲＡＣＨ送信用の送信電力は、以下の式として示され得る。
【数３】
2019531634.tif 000005
ｎはＰＲＡＣＨ送信試行の数である。ＮはＵＥの送信リソースの数である。ｘは初期送信電力である。ｋは所定の係数である。
【０１２３】
他の例として、ＰＲＡＣＨ送信用の送信電力は以下の式として示され得る。
【数４】
2019531634.tif 000006
【０１２４】
本発明の１つまたは複数の実施形態による初期送信電力ｘは、複数の送信リソース１１の全部または一部における下りリンク信号の経路損失または受信品質（例えば、ＲＳＲＰおよびＲＳＲＱ）に基づいて決定されてもよい。例えば、複数のアンテナ１１の一部はより高い受信品質を有するｍ個の送信リソースから構成されてもよい。例えば、受信品質は複数の送信リソース１１における受信品質の平均値であってもよい。
【０１２５】
他の例として、本発明の１つまたは複数の実施形態による初期送信電力ｘは複数の送信リソース１１のうちの１つにおける下りリンク信号の経路損失または受信品質に基づいて決定されてもよい。例えば、初期送信電力ｘの決定に使用される送信リソース１１はパスロスが最小の送信リソース１１であってもよい。
【０１２６】
＜送信タイミング制御＞
（第１３の実施例）
本発明の１つまたは複数の実施形態に係る第１３の実施例によるＵＥ１０は各送信リソース１１に対して異なる送信タイミング制御を実行してもよい。例えば、ＵＥ１０は各送信リソース１１に対して独立してタイミングアドバンス制御を行ってもよい。他の例として、ＵＥ１０は送信リソース１１の全部または一部に同時である送信タイミングを適用してもよい。
【０１２７】
（送信電力制御および送信タイミング制御の他の例）
例えば、複数の送信リソース１１の放射方向が同じ（またはほぼ同じ）である場合、送信リソース１１の全部または一部に共通のＴＰＣおよび送信タイミング制御が適用されてもよい。他の例として、複数の送信リソース１１（またはアンテナグループ）はグループ化されてもよい。
【０１２８】
例えば、少なくとも１つの送信リソース１１に関連付けられたタイミングアドバンスグループが定義されてもよい。例えば、複数の送信リソース１１（またはアンテナグループ）はグループ化されてもよい。例えば、少なくとも１つの送信リソース１１に関連付けられたＴＰＣグループが定義されてもよい。例えば、各ＴＰＣグループは同じＴＰＣを適用してもよく、各タイミングアドバンスグループは同じタイミングアドバンス制御を適用してもよい。
【０１２９】
他の例として、共通の送信リソース１１は複数の物理チャネルおよび信号に使用されてもよい。他の例として、共通の送信リソース１１は上りリンク送信と下りリンク送信に使用されてもよい。他の例として、送信リソース選択はＣＳＩまたは無線リソース管理（ＲＲＭ）測定に基づいて実行されてもよい。
【０１３０】
（基地局の構成）
本発明の１つまたは複数の実施形態に係るＢＳ２０について、以下、図１５を参照して説明する。図１５は本発明の１つまたは複数の実施形態に係るＢＳ２０の概略構成を示す図である。ＢＳ２０は複数のアンテナ２０１、アンプ部２０２、送受信部（送信部／受信部）２０３、ベースバンド信号処理部２０４、呼処理部２０５、および伝送路インタフェース２０６を含み得る。
【０１３１】
ＢＳ２０からＵＥ２０へ下りリンクで送信されるユーザデータは伝送路インタフェース２０６を介してコアネットワーク３０からベースバンド信号処理部２０４に入力される。
【０１３２】
ベースバンド信号処理部２０４において、信号はパケットデータコンバージェンスプロトコル（ＰＤＣＰ）レイヤ処理、ユーザデータの分割、結合及び無線リンク制御（ＲＬＣ）再送制御送信処理のようなＲＬＣレイヤ送信処理、例えば、ＨＡＲＱ送信処理、スケジューリング、トランスポートフォーマット選択、チャネル符号化、逆高速フーリエ変換（ＩＦＦＴ）処理、およびプリコーディング処理を含む、媒体アクセス制御（ＭＡＣ）再送制御を受ける。そして、得られた信号は各送受信部２０３に転送される。下りリンク制御チャネルの信号において、チャネル符号化や逆高速フーリエ変換などの送信処理が行われ、得られた信号は各送受信部２０３に送信される。
【０１３３】
ベースバンド信号処理部２０４は上位レイヤシグナリング（例えば、ＲＲＣシグナリングおよびブロードキャストチャネル）によってセル内通信用の各ＵＥ１０の制御情報（システム情報）を通知する。セル内通信用の情報は、例えば、上りリンクまたは下りリンクシステム帯域幅を含む。
【０１３４】
各送受信部２０３では、アンテナ毎に符号化されベースバンド信号処理部２０４から出力されるベースバンド信号が無線周波数帯において周波数変換処理される。
【０１３５】
アンプ部２０２は周波数変換された無線周波数信号を増幅し、得られた信号はアンテナ２０１から送信される。
【０１３６】
ＵＥ１０からＢＳ２０に上りリンクで送信されるデータにおいて、無線周波数信号は各アンテナ２０１で受信され、アンプ部２０２で増幅され、送受信部２０３で周波数変換、ベースバンド信号に変換され、ベースバンド信号処理部２０４に入力される。
【０１３７】
ベースバンド信号処理部２０４は受信したベースバンド信号に含まれるユーザデータに対して、ＦＦＴ処理、ＩＤＦＴ処理、誤り訂正復号、ＭＡＣ再送制御受信処理、ＲＬＣレイヤおよびＰＤＣＰレイヤの受信処理を行う。そして、得られた信号は伝送路インタフェース２０６を介してコアネットワーク３０に転送される。呼処理部２０５は通信チャネルの設定や解放などの呼処理を行い、ＢＳ２０の状態を管理し、無線リソースを管理する。
【０１３８】
（ユーザ端末の構成）
本発明の１つまたは複数の実施形態に係るＵＥ１０について、以下、図１５を参照して説明する。図１５は本発明の１つまたは複数の実施形態に係るＵＥ１０の概略構成図である。ＵＥ１０は複数のＵＥアンテナ１０１、アンプ部１０２、送受信部（送信部／受信部）１０３、ベースバンド信号処理部１０４、およびアプリケーション部１０５を有する。
【０１３９】
下りリンクにおいては、ＵＥアンテナ１０１で受信した無線周波数信号はそれぞれのアンプ部１０２で増幅され、送受信部（送信部／受信部）１０３においてベースバンド信号に周波数変換される。これらのベースバンド信号はベースバンド信号処理部１０４において、ＦＦＴ処理、誤り訂正復号、再送制御などの受信処理がされる。
【０１４０】
下りリンクユーザデータはアプリケーション部１０５に転送される。アプリケーション部１０５は物理レイヤおよびＭＡＣレイヤより上の上位レイヤに関する処理を行う。下りリンクデータでは報知情報もアプリケーション部１０５に転送される。
【０１４１】
一方、上りリンクユーザデータはアプリケーション部１０５からベースバンド信号処理部１０４に入力される。ベースバンド信号処理部１０４では、再送制御（Ｈｙｂｒｉｄ  ＡＲＱ）送信処理、チャネル符号化、プリコーディング、ＤＦＴ処理、ＩＦＦＴ処理などが行われ、得られた信号は各送受信部１０３に転送される。
【０１４２】
送受信部１０３では、ベースバンド信号処理部１０４から出力されたベースバンド信号が無線周波数帯に変換される。その後、周波数変換された無線周波数信号はアンプ部１０２で増幅された後、アンテナ１０１から送信される。
【０１４３】
本発明の１つまたは複数の実施形態では、送信リソースは垂直、水平、および偏波アンテナの数に加えて、アンテナグループまたは他のアンテナ次元（例えば、Ｎ３）などの別の概念と置き換えられてもよい。本発明の１つまたは複数の実施形態では、複数のアンテナポートをグループ化（各送信リソースごとに）するためのインデックスが導入されてもよい。
【０１４４】
本開示は主に、上りリンク送信の例を説明したが、本発明はそれに限定されない。本発明の１つまたは複数の実施形態は下りリンク送信に適用されてもよい。さらに、本発明の１つまたは複数の実施形態は信号を送信および受信する方法に適用されてもよい。例えば、ＵＥにおける送信リソース選択の方法は、ＢＳにおけるアンテナ（または送信リソース）選択の方法に適用されてもよい。
【０１４５】
本発明の１つまたは複数の実施形態は上りリンクおよび下りリンクのそれぞれに独立して使用されてもよい。本発明の１つまたは複数の実施形態は上りリンクと下りリンクの両方に共通に使用されてもよい。例えば、送信リソース選択は上りリンクと下りリンクのそれぞれに独立して行われてもよいし、上りリンクと下りリンクの両方に共通に行われてもよい。
【０１４６】
本発明の１つまたは複数の実施形態は各物理チャネル（または物理信号）に独立して使用されてもよい。本発明の１つまたは複数の実施形態は複数の物理チャネル（または物理信号）にも共通に使用されてもよい。例えば、送信リソース選択は各物理チャネル（または物理信号）に独立して行われてもよいし、複数の物理チャネル（または物理信号）に共通に行われてもよい。
【０１４７】
本開示は主に、ＰＵＳＣＨ、ＳＲＳ、ＰＵＣＣＨ、ＰＲＡＣＨ、およびＤＭ−ＲＳなどの物理チャネルおよび物理信号の例を説明したが、これに限定されない。本発明の１つまたは複数の実施形態は他のチャネルおよび信号に適用されてもよい。
【０１４８】
本開示は主に、ＬＴＥ／ＬＴＥ−Ａに基づくチャネルおよびシグナリング方式の例を説明したが、これに限定されない。本発明の１つまたは複数の実施形態はＬＴＥ／ＬＴＥ−Ａ、Ｎｅｗ  Ｒａｄｉｏ（ＮＲ）、および新しく定義されたチャネルおよびシグナリング方式と同じ機能を有する他のチャネルおよびシグナリング方式に適用されてもよい。
【０１４９】
本開示は主に、平面アンテナを含むＵＥの例を説明したが、これに限定されない。本発明の１つまたは複数の実施形態は一次元アンテナおよび所定の三次元アンテナを含むＵＥにも適用されてもよい。
【０１５０】
本発明の１つまたは複数の実施形態では、複数の送信リソースのそれぞれが互いに異なる指向性を有することは必要とされなくてもよい。本発明の１つまたは複数の実施形態は同じ指向性を有する複数の送信リソースにも適用されてもよい。
【０１５１】
上記の例と変形例とは互いに組み合わされてもよいし、これらの例の様々な特徴は様々な組み合わせで互いに組み合わされることができる。本発明は本明細書に開示されている特定の組み合わせに限定されない。
【０１５２】
本開示は限られた数の実施形態に関してのみ説明されてきたが、本開示の利益を享受する当業者は他の様々な実施形態が本発明の範囲から逸脱することなく考案され得ることを理解するであろう。したがって、本発明の範囲は添付の特許請求の範囲によってのみ限定されるべきである。
【符号の説明】
【０１５３】
１  無線通信システム
１０  ユーザ端末（ＵＥ）
１１  送信リソース
１０１  アンテナ
１０２  アンプ部
１０３  送受信部（送信部／受信部）
１０４  ベースバンド信号処理部
１０５  アプリケーション部
２０  基地局（ＢＳ）
２０１  アンテナ
２０２  アンプ部
２０３  送受信部（送信部／受信部）
２０４  ベースバンド信号処理部
２０５  呼処理部
２０６  伝送路インタフェース
【図１】
2019531634.tif 000007
【図２Ａ】
2019531634.tif 000008
【図２Ｂ】
2019531634.tif 000009
【図２Ｃ】
2019531634.tif 000010
【図２Ｄ】
2019531634.tif 000011
【図２Ｅ】
2019531634.tif 000012
【図３】
2019531634.tif 000013
【図４】
2019531634.tif 000014
【図５】
2019531634.tif 000015
【図６】
2019531634.tif 000016
【図７】
2019531634.tif 000017
【図８】
2019531634.tif 000018
【図９】
2019531634.tif 000019
【図１０】
2019531634.tif 000020
【図１１】
2019531634.tif 000021
【図１２】
2019531634.tif 000022
【図１３】
2019531634.tif 000023
【図１４】
2019531634.tif 000024
【図１５】
2019531634.tif 000025
【図１６】
2019531634.tif 000026
【国際調査報告】
2019531634.tif 000027
2019531634.tif 000028
2019531634.tif 000029
2019531634.tif 000030
2019531634.tif 000031